(57)【要約】【課題】ノイズの低減とケーブルの固定を兼用する構成を有する信号処理装置を提供する。【解決手段】信号を処理する処理手段と、前記処理手段で処理した前記信号を出力する出力手段と、前記処理手段および前記出力手段を内蔵する収容手段と、前記処理手段と前記出力手段との間を繋ぐ信号を伝送する第１の伝送手段および第２の伝送手段と、前記収容手段の所定位置に磁性体で閉ループを形成し、前記第１の伝送手段および前記第２の伝送手段を保持するノイズ除去手段とを有する。【選択図】図２
2009004712.tif 000002
【特許請求の範囲】
【請求項１】
信号を処理する処理手段と、
前記処理手段で処理した前記信号を出力する出力手段と、
前記処理手段および前記出力手段を内蔵する収容手段と、
前記処理手段と前記出力手段との間を繋ぐ信号を伝送する第１の伝送手段および第２の伝送手段と、
前記収容手段の所定位置に磁性体で閉ループを形成し、前記第１の伝送手段および前記第２の伝送手段を保持するノイズ除去手段と、
を有することを特徴とする信号処理装置。
【請求項２】
前記ノイズ除去手段は、前記収容手段の前記所定位置に第１の磁性体を配し、前記第１の磁性体から複数の磁性体の突起を有し、前記複数の突起の全ての突起の一部と接するように第２の磁性体を有することを特徴とする請求項１記載の信号処理装置。
【請求項３】
前記第１の伝送手段および前記第２の伝送手段は、前記ノイズ除去手段に一直線に設けられた前記複数の突起を直線で結ぶ軸に対して対称となるように、それぞれ前記複数の突起を交互に編むことを特徴とする請求項２記載の信号処理装置。
【請求項４】
信号を処理する処理手段と、前前記処理手段で処理した前記信号を出力する出力手段と、前記処理手段および前記出力手段を内蔵する収容手段と
前記処理手段と前記出力手段とを繋ぐ第１の伝送手段および第２の伝送手段とを有する信号処理装置におけるケーブル保持方法において、
前記収容手段の所定位置に第１の磁性体を配し、前記第１の磁性体から複数の磁性体の突起を有し、前記複数の突起の全ての突起の一部と接するように第２の磁性体を配した閉ループを形成し、
前記第１の伝送手段および前記第２の伝送手段を一直線に設けられた前記複数の突起を直線で結ぶ軸に対して対称となるように、それぞれ前記複数の突起を交互に編みこみ、前記第１の伝送手段および第前記２の伝送手段を保持する、
ことを特徴とするケーブル保持方法。
【発明の詳細な説明】
【技術分野】
【０００１】
本発明は、内蔵スピーカを有する信号処理装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このような各種放送を受信するデジタルテレビでは、ネットワークとも接続され、インターネットで情報を取得し、画面に表示することも可能となっている。そのため、各種外部機器とＵＳＢもしくはＬＡＮを介して接続することも可能である。そのため、ユーザにとっての取り扱いを便利にし、十分に実用に適する構成とすることが重要となる。
【０００４】
また、デジタルテレビでは、例えばＡＶ基盤と音声を出力するスピーカ、リモコンの受光部と制御部、それぞれは信号の送受信は２本の平行ケーブルが用いられている。
【０００５】
特許文献１には、磁性体コアの役目を備えたフェライトパターンを交互に配して、閉ループを形成した電磁障害対策手段を有する構成が開示されている。
【特許文献１】実開平５−３３５５８号公報
【発明の開示】
【発明が解決しようとする課題】
【０００６】
しかしながら、特許文献１には、磁性体を用いて閉ループを形成し、ノイズの低減は図れるが、ケーブルを固定するには、別途クランプを使用しなければならない問題があった。
【０００７】
本発明は、上記事情を鑑みてなされたものであって、目的とするところは、ノイズの低減とケーブルの固定を兼用する構成を有する信号処理装置を提供することにある。
【課題を解決するための手段】
【０００８】
上記課題を解決し目的を達成するために、本発明の信号処理装置は、信号を処理する処理手段と、前記処理手段で処理した前記信号を出力する出力手段と、前記処理手段および前記出力手段を内蔵する収容手段と、前記処理手段と前記出力手段との間を繋ぐ信号を伝送する第１の伝送手段および第２の伝送手段と、前記収容手段の所定位置に磁性体で閉ループを形成し、前記第１の伝送手段および前記第２の伝送手段を保持するノイズ除去手段とを有する。
【発明の効果】
【０００９】
本発明によれば、信号処理装置のキャビネットの任意の位置に複数の突起を有した磁性体を配して閉ループを形成し、その磁性体の突起にケーブルを編みこむことで、ノイズを低減することができる。さらに、磁性体で形成される閉ループは、キャビネットに設けられているため、クランプ機能も有するため、複雑な配線も効率よく固定することができる。
【発明を実施するための最良の形態】
【００１０】
以下、この発明の信号処理装置の一例として、テレビジョン受像機を例に図面を参照して詳細に説明する。図１は、テレビジョン受像機１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１１】
そして、このチューナ４５で選局された放送信号は、ＰＳＫ（phase shift keying）復調器４６に供給されて、デジタルの映像信号及び音声信号に復調された後、信号処理部４７に出力される。
【００１２】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１３】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００１４】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されて、アナログの映像信号及び音声信号に復調された後、上記信号処理部４７に出力される。
【００１５】
さらに、上記信号処理部４７には、複数（図示の場合は４つ）の入力端子５４ａ，５４ｂ，５４ｃ，５４ｄが接続されている。これら入力端子５４ａ〜５４ｄは、それぞれ、アナログの映像信号及び音声信号を、情報通信端末１１の外部から入力可能とするものである。
【００１６】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施している。
【００１７】
また、この信号処理部４７は、上記アナログ復調器５３及び各入力端子５４ａ〜５４ｄからそれぞれ供給されたアナログの映像信号及び音声信号を選択的にデジタル化し、そのデジタル化された映像信号及び音声信号に対して所定のデジタル信号処理を施している。
【００１８】
この信号処理部４７が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ用のデジタルグラフィックスデータ（以下、ＯＳＤ信号という）を重畳する処理、映像信号に対するスケーリング処理、音声信号に対するデコード処理等がある。
【００１９】
そして、信号処理部４７から出力されたデジタルの映像信号は、映像処理部５５に供給される。この映像処理部５５は、入力されたデジタルの映像信号を、前記映像表示器１４で表示可能なフォーマットのアナログ映像信号に変換した後、映像表示器１４に出力して映像表示させるとともに、出力端子５６を介して外部に導出させる。
【００２０】
また、信号処理部４７から出力されたデジタルの音声信号は、音声処理部５７に供給される。この音声処理部５７は、入力されたデジタルの音声信号を、前記スピーカ１５で再生可能なフォーマットのアナログ音声信号に変換した後、スピーカ１５に出力して音声再生させるとともに、出力端子５８を介して外部に導出させる。
【００２１】
ここで、この情報通信端末１１は、上記した各種の受信動作を含むその全ての動作を制御部５９によって統括的に制御されている。この制御部５９は、ＣＰＵ（central processing unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００２２】
この場合、制御部５９は、主として、そのＣＰＵが実行する制御プログラムを格納したＲＯＭ（read only memory）６０と、該ＣＰＵに作業エリアを提供するＲＡＭ（random access memory）６１と、各種の設定情報及び制御情報等が格納される不揮発性メモリ６２とを利用している。
【００２３】
また、この制御部５９は、カードＩ／Ｆ（Interface）６３を介して、前記第１のメモリカード１９が装着可能なカードホルダ６４に接続されている。これによって、制御部５９は、カードホルダ６４に装着された第１のメモリカード１９と、カードＩ／Ｆ６３を介して情報伝送を行なうことができる。
【００２４】
さらに、上記制御部５９は、カードＩ／Ｆ６５を介して前記第２のメモリカード２０が装着可能なカードホルダ６６に接続されている。これによって、制御部５９は、カードホルダ６６に装着された第２のメモリカード２０と、カードＩ／Ｆ６５を介して情報伝送を行なうことができる。
【００２５】
また、上記制御部５９は、通信Ｉ／Ｆ６７を介して第１のＬＡＮ端子２１に接続されている。これにより、制御部５９は、第１のＬＡＮ端子２１に接続されたＬＡＮ対応のＨＤＤ２５と、通信Ｉ／Ｆ６７を介して情報伝送を行なうことができる。この場合、制御部５９は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００２６】
さらに、上記制御部５９は、情報の取得手段としての通信Ｉ／Ｆ６８を介して第２のＬＡＮ端子２２に接続されている。これにより、制御部５９は、第２のＬＡＮ端子２２に接続された各機器と、通信Ｉ／Ｆ６８を介して情報伝送を行なうことができる。
【００２７】
また、上記制御部５９は、ＵＳＢ Ｉ／Ｆ６９を介して前記ＵＳＢ端子２３に接続されている。これにより、制御部５９は、ＵＳＢ端子２３に接続された各機器と、ＵＳＢ Ｉ／Ｆ６９を介して情報伝送を行なうことができる。
【００２８】
さらに、上記制御部５９は、ＩＥＥＥ１３９４ Ｉ／Ｆ７０を介してＩＥＥＥ１３９４端子２４に接続されている。これにより、制御部５９は、ＩＥＥＥ１３９４端子２４に接続された各機器と、ＩＥＥＥ１３９４ Ｉ／Ｆ７０を介して情報伝送を行なうことができる。
【００２９】
図２は、例えば、音声処理部５７とスピーカ１５とを繋ぐケーブル１０１とケーブル１０２の外観を示している。キャビネット１００は、図１に示すテレビジョン受像機の信号処理系を内蔵している。
【００３０】
音声処理部５７とスピーカ１５を繋ぐケーブル１０１とケーブル１０２は、キャビネット１００の任意の位置にくし状の磁性体突起１０３を互い違いに編みこんで配置される。磁性体突起１０３は、キャビネット１００の任意の位置に磁性体を固定し、その磁性体に複数の突起を設けることで構成される。磁性体突起１０３は、一直線状に複数（図２の例では５本）設けられている。そして、ケーブル１０１とケーブル１０２は、複数の突起が一直線に設けられた直線軸に対して、図２に示すように対称となるように、それぞれ複数の突起を交互に編むように配置されている。
【００３１】
ケーブル１０１とケーブル１０２を磁性体突起１０３に固定して撚ることで、平衡電流が流れているときは、互いに打ち消すようになり、外部から磁界がかかっても、見かけ上打ち消す方向に電流が流れる。そのため、誘導電圧の発生は小さくなる。
【００３２】
さらに、図３に示すように、くし状の磁性体突起１０３を上から磁性体蓋１０４でふたをする。磁性体蓋１０４は、くし状の磁性体突起１０３の全ての突起と接するように配置する。くし状の磁性体突起１０３と磁性体蓋１０４で構成される部分とで閉ループを形成し、ケーブル１０１とケーブル１０２に乗っているノイズは、磁性体突起１０３と磁性体蓋１０４で構成される部分の閉ループで除去される。
【００３３】
くし状の磁性体突起１０３と磁性体蓋１０４で構成される閉ループをキャビネット１００に設ける位置は、図１に示すテレビジョン受像機の信号系等の配置にケーブル１０１およびケーブル１０２が邪魔にならない位置に設けることができる。また、ケーブル１０１およびケーブル１０２は、長くなるほどアンテナとして機能し、ノイズが乗りやすい。効率よくノイズを除去するために、ケーブル１０１およびケーブル１０２の長さ、使用環境によってくし状の磁性体突起１０３と磁性体蓋１０４で構成される閉ループをケーブル１０１およびケーブル１０２のどの位置に設けるかは変化し、テレビジョン受像機に予め、または、アセンブル時にキャビネット１００に設置する。
【００３４】
また、磁性体突起１０３はキャビネット１００と一体となって設けられているため、ケーブル１０１とケーブル１０２にクランプを特に設けることなく、配線規制の効果も有する。
【００３５】
図２及び図３の例では、くし状の磁性体突起１０３はキャビネット１００から５本の突起が突出している。図４では、くし状の磁性体突起１０３はキャビネット１００から３本突出している例を示す。磁性体突起１０３から突出する突起の数が多く、磁性体突起１０３にケーブル１０１とケーブル１０２を編みこむ回数を増やしたほうが、ノイズの除去の効果は大きい。そのため、磁性体突起１０３から突出する突起の数は、ケーブル１０１とケーブル１０２が接続されている機器、長さ、ノイズの大きさ、乗りやすさなどを考慮して任意に設定することができる。
【００３６】
ケーブル１０１とケーブル１０２に乗るノイズは、お互いを撚ることにより打ち消し合うことで低減し、磁性体で閉ループを構成することでさらに低減させることができる。
【００３７】
上記説明したように、くし状の磁性体突起１０３と磁性体蓋１０４で構成される閉ループは、ケーブル１０１とケーブル１０２に発生するノイズの除去と、保持の両方の機能を兼ねているため、テレビジョン受像機の内部の複雑な信号系の配線も煩雑とならずに配置することが可能となる。
【００３８】
上記実施例は、音声処理部５７とスピーカ１５とを繋ぐ２本の平行ケーブルの例であるが、例えば、リモコンの受光部１８と制御部５９とを繋ぐ２本の平行ケーブルについても同様である。
【００３９】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４０】
【図１】本発明の一実施の形態に係るテレビジョン受像機の構成を示すブロック図。
【図２】本発明の一実施の形態に係るテレビジョン受像機に用いるノイズ除去手段の外観図。
【図３】本発明の一実施の形態に係るテレビジョン受像機に用いるノイズ除去手段の外観図。
【図４】本発明の一実施の形態に係るテレビジョン受像機に用いるノイズ除去手段の外観図。
【符号の説明】
【００４１】
１１…情報通信端末、１５…スピーカ、１８…受光部、５７…音声処理部、５９…制御部、１００…キャビネット、１０１…ケーブル、１０２…ケーブル、１０３…磁性体突起、１０４…磁性体蓋。
【図１】
2009004712.tif 000003
【図２】
2009004712.tif 000004
【図３】
2009004712.tif 000005
【図４】
2009004712.tif 000006